(57)【要約】【課題】ユーザーが所望したときに的確な情報をユーザーに対して手軽に提供する。【解決手段】ユーザー端末１１の端末用ＣＰＵ２０は、ユーザー端末１１のスケジュールデータ記憶部２４に記憶されている全てのスケジュールデータを、プリンタ１２に対してシンクロデータとして送信する。プリンタ１２のプリンタ用ＣＰＵ３１は、シンクロデータを受信すると、プリンタ１２のシンクロデータ記憶部３９のシンクロデータを更新する。プリンタ用ＣＰＵ３１は、プリンタ１２のスケジュールスイッチ３８からの操作信号を入力すると、プリンタ１２のタイマ３７から、操作信号を入力した日付を日付情報として取得する。プリンタ用ＣＰＵ３１は、取得した日付情報と、シンクロデータ記憶部３９のシンクロデータとに基づいて、操作信号を入力した日における１日の予定表印刷データを抽出し、記録媒体に画像を印刷する。【選択図】      図２
2004240670.tif 000002
【特許請求の範囲】
【請求項１】
時間と関連付けられている第１のデータを記憶するコンピュータと、同コンピュータに接続されている印刷装置とを備えた情報印刷システムにおいて、
前記コンピュータは、前記第１のデータを前記印刷装置に送信する送信手段を備え、
前記印刷装置は、
前記第１のデータを受信する受信手段と、
受信した前記第１のデータを記憶する記憶手段と、
時間を計る計時手段と、
操作手段からの操作信号を入力し、同操作信号を入力した時間を前記計時手段から入力時間情報として取得する取得手段と、
前記入力時間情報と前記記憶手段の前記第１のデータとに基づいて第２のデータを抽出し、同第２のデータに基づいて印刷を行うデータ印刷手段と
を備えたことを特徴とする情報印刷システム。
【請求項２】
請求項１に記載の情報印刷システムにおいて、
前記送信手段は、
前記コンピュータの入力手段からの前記コンピュータの電源を切る旨の入力に基づいて、前記第１のデータを前記印刷装置に送信する手段であることを特徴とする情報印刷システム。
【請求項３】
請求項１又は２に記載の情報印刷システムにおいて、
前記第１のデータは、スケジュールデータであることを特徴とする情報印刷システム。
【請求項４】
時間と関連付けられている第１のデータを記憶する記憶手段と、
時間を計る計時手段と、
操作手段からの操作信号を入力し、同操作信号を入力した時間を前記計時手段から入力時間情報として取得する取得手段と、
前記入力時間情報と前記記憶手段の前記第１のデータとに基づいて第２のデータを抽出し、同第２のデータに基づいて印刷を行うデータ印刷手段と
を備えたことを特徴とする印刷装置。
【請求項５】
時間と関連付けられている第１のデータを記憶するコンピュータと、同コンピュータに接続されている印刷装置とを用いて、前記第１のデータに基づく印刷を行う情報印刷方法において、
前記コンピュータから前記印刷装置に、前記第１のデータを送信する段階と、
前記第１のデータを前記印刷装置の記憶手段に記憶させる段階と、
前記印刷装置の操作手段から操作信号を受ける段階と、
前記操作信号を受信した時間を前記印刷装置の計時手段から取得し、入力時間情報として取得する段階と、
前記印刷装置のデータ印刷手段により、前記入力時間情報と前記記憶手段の前記第１のデータとに基づいて第２のデータを抽出し、同第２のデータに基づいて印刷を行う段階と
を備えたことを特徴とする情報印刷方法。
【請求項６】
時間と関連付けられている第１のデータを記憶するコンピュータと、同コンピュータに接続されている印刷装置とを用いて、前記第１のデータに基づく印刷を行うための情報印刷プログラムにおいて、
前記印刷装置を、
前記第１のデータを受信して記憶手段に記憶する手段、
操作手段からの操作信号を入力し、同操作信号を入力した時間を計時手段から入力時間情報として取得する手段、
前記入力時間情報と前記記憶手段の前記第１のデータとに基づいて第２のデータを抽出し、同第２のデータに基づいて印刷を行う手段
として機能させることを特徴とする情報印刷プログラム。
【発明の詳細な説明】
【０００１】
【発明の属する技術分野】
本発明は、情報印刷システム、印刷装置、情報印刷方法及び情報印刷プログラムに関する。
【０００２】
【従来の技術】
従来から、コンピュータを利用して、各種情報を管理するためのソフトウェアが知られている。そして、このようなソフトウェアのうち、最も一般的なものの１つとして、ユーザーのスケジュールを管理するための、スケジュール管理用ソフトウェアが知られている。
【０００３】
詳しくは、このスケジュール管理用ソフトウェアは、各ユーザーのスケジュールをデータベースに更新可能に記憶し、その記憶されたスケジュールデータに基づいて、コンピュータのディスプレイ上に予定を表示するようになっている。また、通信回線網を介して接続されている他のコンピュータと前記スケジュールデータを共有したり、スケジュール上の任意のイベントについて、開始予定時刻前にアラームを表示したりするものもあり、広く一般に利用されるようになっている。
【０００４】
ところが、上記のようなスケジュール管理用ソフトウェアを使用する場合には、ユーザーはスケジュールデータを保有しているコンピュータを介さなければ、リアルタイムにスケジュールを把握することができないという問題があった。すなわち、外出先など、コンピュータの存在しない環境においては、スケジュールを手軽に確認することができなくなる可能性があった。また、コンピュータに不慣れなユーザーは、コンピュータを介してスケジュールを確認することに煩わしさを感じることがあった。
【０００５】
そこで、スケジュールを紙等の記録媒体に印刷することにより、外出先においてスケジュールを確認しやすくしたり、コンピュータに不慣れなユーザーがスケジュールを確認しやすくしたりすることが行われていた。しかし、スケジュールを記録媒体に印刷するためには、ユーザーは、印刷範囲を手作業による操作で指定しなければならない場合があり、手間がかかっていた。
【０００６】
そこで、スケジュール中のイベントの開始時刻前に、そのイベントに関わる情報を、プリンタを介して自動的に記録媒体に印刷するシステムについて既に提案されていた（例えば、特許文献１参照。）。詳しくは、このシステムは、スケジュール管理用ソフトウェアを備えたコンピュータと、複数の場所に設置されているプリンタとを備え、それぞれが通信回線網にて接続されていた。そして、イベントが発生する時刻が近づくと、コンピュータは、そのイベントに適した場所に設置されているプリンタに対して、適した内容の情報を送信し、記録媒体に印刷させるようにしていた。
【０００７】
すなわち、この特許文献１に記載のシステムによれば、イベントの開始前までにそのイベントに関わるスケジュール等の情報が自動的に印刷され、記録媒体を介して提供されるので、ユーザーはコンピュータから離れた場所にいても、その記録媒体を見ることによって、スケジュール等を的確に把握することができる。また、コンピュータ操作に不慣れなユーザーであっても、気軽にスケジュールを確認することができるようになっている。
【０００８】
【特許文献１】
特開２０００−１７２４６２号公報
【０００９】
【発明が解決しようとする課題】
ところで、上記の特許文献１におけるシステムでは、スケジュールの印刷が行われるタイミングは、イベントの開始時刻に基づいたものとなっていた。すなわち、ユーザーが、イベントの開始時刻と関係なく、急にスケジュールを知りたいと思った場合には、依然として、コンピュータのディスプレイを介してスケジュールを確認したり、知りたい範囲のスケジュールを手作業による操作で印刷させたりする必要があった。
【００１０】
そして、このように、急にスケジュールを知りたくなる時間帯としては、一日のスタートとなる始業前などが考えられるが、このような場合には、コンピュータの電源が切れた状態となっていることが多くなっていた。従って、ユーザーは、まず、コンピュータの電源を入れる必要があった。そして、スケジュールをディスプレイに表示させたり、印刷したりするために、コンピュータが起動されるまで待たなければならないことがあり、煩わしく感じられることがあった。
【００１１】
本発明は、上記問題点を解決するためになされたものであって、ユーザーが所望したときに的確な情報をユーザーに対して手軽に提供することができる情報印刷システム、印刷装置、情報印刷方法及び情報印刷プログラムを提供することにある。
【００１２】
【課題を解決するための手段】
本発明は、時間と関連付けられている第１のデータを記憶するコンピュータと、同コンピュータに接続されている印刷装置とを備えた情報印刷システムにおいて、前記コンピュータは、前記第１のデータを前記印刷装置に送信する送信手段を備え、前記印刷装置は、前記第１のデータを受信する受信手段と、受信した前記第１のデータを記憶する記憶手段と、時間を計る計時手段と、操作手段からの操作信号を入力し、同操作信号を入力した時間を前記計時手段から入力時間情報として取得する取得手段と、前記入力時間情報と前記記憶手段の前記第１のデータとに基づいて第２のデータを抽出し、同第２のデータに基づいて印刷を行うデータ印刷手段とを備えた。
【００１３】
本発明によれば、コンピュータに記憶されている第１のデータと同じデータが、印刷装置の記憶手段にも記憶されるようになる。その結果、印刷装置のみで、印刷装置の記憶手段に記憶されている第１のデータを使用して第２のデータの抽出と印刷を行うことができる。従って、例えば、コンピュータの電源が入っていなくても、印刷装置の操作手段から操作信号を入力することで、簡単に、第２のデータの印刷を行うことができる。
【００１４】
また、第２のデータは、操作手段から操作信号が入力された時間に基づいたデータとなっており、例えば、ユーザーが、現在の時間に対応する第２のデータを印刷したいと所望したら、その所望した時に、ユーザーに操作手段を操作させることで、現在の時間に基づいた第２のデータを提供することができる。従って、ユーザーが所望したときに的確な情報をユーザーに対して手軽に提供することができる。
【００１５】
この情報印刷システムにおいて、前記送信手段は、前記コンピュータの入力手段からの前記コンピュータの電源を切る旨の入力に基づいて、前記第１のデータを前記印刷装置に送信する手段である。
【００１６】
これによれば、印刷装置の記憶手段には、コンピュータの電源が切れる直前における第１のデータが記憶されるようになる。そして、コンピュータの電源が切れている状態においては、コンピュータにおいて、第１のデータが更新されることがないため、印刷装置の記憶手段には、最新の状態の第１のデータが記憶された状態とすることができる。その結果、コンピュータの電源が切れているときに、印刷装置の操作手段を操作すると、最新の状態の第１のデータに基づく第２のデータが得られ、ユーザーに対して最新の情報を提供することができる。
【００１７】
この情報印刷システムにおいて、前記第１のデータは、スケジュールデータである。
これによれば、ユーザーが、スケジュールの内容を知りたいと思ったときに、印刷装置の操作手段を操作することで、その操作した時間に基づいたスケジュールデータが、第２のデータとして印刷され提供される。従って、例えば、ユーザーが操作手段を操作すると、その当日におけるスケジュールが１枚の紙に印刷されて提供されるようにすることなどができ、ユーザーは、操作手段を操作した時間に適したスケジュールを的確に把握することができる。
【００１８】
また、印刷装置は、コンピュータの電源が入っていなくても第２のデータを印刷して提供することができる。その結果、ユーザーがスケジュールを知りたいと思ったときに、コンピュータの電源が切れていたとしても、印刷装置の操作手段を操作することで、スケジュールを知ることができる。従って、スケジュールを知るために、コンピュータの電源を入れる操作等を行う必要がなく、ユーザーは、スケジュールを容易に把握することができる。
【００１９】
本発明は、時間と関連付けられている第１のデータを記憶する記憶手段と、時間を計る計時手段と、操作手段からの操作信号を入力し、同操作信号を入力した時間を前記計時手段から入力時間情報として取得する取得手段と、前記入力時間情報と前記記憶手段の前記第１のデータとに基づいて第２のデータを抽出し、同第２のデータに基づいて印刷を行うデータ印刷手段とを備えた。
【００２０】
これによれば、印刷装置から印刷されて提供される第２のデータは、操作手段から操作信号が入力された時間に基づいたデータとすることができる。従って、例えば、ユーザーが、現在の時間に対応する第２のデータを印刷したいと所望したら、その所望した時に、ユーザーに操作手段を操作させることで、現在の時間に基づいた第２のデータを提供することができる。従って、ユーザーが所望したときに的確な情報をユーザーに対して手軽に提供することができる。
【００２１】
本発明は、時間と関連付けられている第１のデータを記憶するコンピュータと、同コンピュータに接続されている印刷装置とを用いて、前記第１のデータに基づく印刷を行う情報印刷方法において、前記コンピュータから前記印刷装置に、前記第１のデータを送信する段階と、前記第１のデータを前記印刷装置の記憶手段に記憶させる段階と、前記印刷装置の操作手段から操作信号を受ける段階と、前記操作信号を受信した時間を前記印刷装置の計時手段から取得し、入力時間情報として取得する段階と、前記印刷装置のデータ印刷手段により、前記入力時間情報と前記記憶手段の前記第１のデータとに基づいて第２のデータを抽出し、同第２のデータに基づいて印刷を行う段階とを備えた。
【００２２】
本発明によれば、コンピュータに記憶されている第１のデータと同じデータが、印刷装置の記憶手段にも記憶されるようになる。その結果、印刷装置のみで、印刷装置の記憶手段に記憶されている第１のデータを使用して第２のデータの抽出と印刷を行うことができる。従って、例えば、コンピュータの電源が入っていなくても、印刷装置の操作手段から操作信号を入力することで、簡単に、第２のデータの印刷を行うことができる。
【００２３】
また、第２のデータは、操作手段から操作信号が入力された時間に基づいたデータとなっており、例えば、ユーザーが、現在の時間に対応する第２のデータを印刷したいと所望したら、その所望した時に、ユーザーに操作手段を操作させることで、現在の時間に基づいた第２のデータを提供することができる。従って、ユーザーが所望したときに的確な情報をユーザーに対して手軽に提供することができる。
【００２４】
本発明は、時間と関連付けられている第１のデータを記憶するコンピュータと、同コンピュータに接続されている印刷装置とを用いて、前記第１のデータに基づく印刷を行うための情報印刷プログラムにおいて、前記印刷装置を、前記第１のデータを受信して記憶手段に記憶する手段、操作手段からの操作信号を入力し、同操作信号を入力した時間を計時手段から入力時間情報として取得する手段、前記入力時間情報と前記記憶手段の前記第１のデータとに基づいて第２のデータを抽出し、同第２のデータに基づいて印刷を行う手段として機能させる。
【００２５】
本発明によれば、コンピュータに記憶されている第１のデータと同じデータが、印刷装置の記憶手段にも記憶されるようになる。その結果、印刷装置のみで、印刷装置の記憶手段に記憶されている第１のデータを使用して第２のデータの抽出と印刷を行うことができる。従って、例えば、コンピュータの電源が入っていなくても、印刷装置の操作手段から操作信号を入力することで、簡単に、第２のデータの印刷を行うことができる。
【００２６】
また、第２のデータは、操作手段から操作信号が入力された時間に基づいたデータとなっており、例えば、ユーザーが、現在の時間に対応する第２のデータを印刷したいと所望したら、その所望した時に、ユーザーに操作手段を操作させることで、現在の時間に基づいた第２のデータを提供することができる。従って、ユーザーが所望したときに的確な情報をユーザーに対して手軽に提供することができる。
【００２７】
【発明の実施の形態】
以下、本発明を具体化した一実施形態を図１〜図４に従って説明する。
図１は本実施形態の情報印刷システムとしてのスケジュール印刷システムの概略構成図を示す。図１に示すように、コンピュータとしてのユーザー端末１１は、印刷装置としてのプリンタ１２と、ケーブル１３を介して接続されている。そして、ユーザー端末１１とプリンタ１２とは、このケーブル１３を介して各種情報を送受信することが可能であり、プリンタ１２は、ユーザー端末１１から受信したデータに基づいて、紙等の記録媒体１５に対して印刷を行うことが可能となっている。
【００２８】
図２は、本実施形態におけるスケジュール印刷システムの電気的構成図を示す。図２に示すように、ユーザー端末１１は、端末用ＣＰＵ２０、ＲＯＭ２１及びＲＡＭ２２、送信手段としての端末用Ｉ／Ｆ（インターフェース）部２３、スケジュールデータ記憶部２４、端末用プログラム記憶部２５を備える。そして、これらは互いにバス２６を介して接続されている。
【００２９】
端末用ＣＰＵ２０は、ユーザー端末１１の各種動作を制御するものであり、バス２６を介して入力手段としてのマウス２７、同じく入力手段としてのキーボード２８、ディスプレイ２９と接続され、マウス２７及びキーボード２８からの操作信号を入力し、ディスプレイ２９に各種情報を出力する。また、端末用ＣＰＵ２０は、端末用Ｉ／Ｆ部２３と接続され、この端末用Ｉ／Ｆ部２３を介して前記プリンタ１２と各種データの送受信を行うようになっている。
【００３０】
さらに、端末用ＣＰＵ２０は、スケジュールデータ記憶部２４に接続されており、このスケジュールデータ記憶部２４は、複数の第１のデータとしてのスケジュールデータを記憶している。なお、スケジュールデータとは、端末用ＣＰＵ２０を操作するユーザーのスケジュールに関するデータであり、例えば、会議や来客、外出といったイベントを、各イベントの開始日時、終了日時、開催場所等と関連付けて表したデータである。例えば、スケジュールデータは、「４月１０日、１５：００〜１６：００、客先訪問、場所：○○商事」といった内容を表すデータである。なお、これらのスケジュールデータは、ユーザーが、端末用ＣＰＵ２０の前記マウス２７やキーボード２８等を介して入力することにより適宜記憶されたり消去されたりする。
【００３１】
また、端末用ＣＰＵ２０は、端末用プログラム記憶部２５と接続され、この端末用プログラム記憶部２５の各種プログラムに従って動作し、その演算処理結果を一時ＲＡＭ２２に記憶するようになっている。詳述すると、端末用プログラム記憶部２５には、シンクロデータ送信プログラム及びその他各種のプログラムが備えられている。
【００３２】
シンクロデータ送信プログラムは、前記マウス２７やキーボード２８等を介して、ユーザー端末１１の電源を切る旨の入力があった場合に、前記スケジュールデータ記憶部２４の全てのスケジュールデータを、シンクロデータとしてプリンタ１２に送信するためのプログラムである。
【００３３】
すなわち、端末用ＣＰＵ２０は、マウス２７やキーボード２８等を介して、ユーザー端末１１の電源を切る旨の入力があると、シンクロデータ送信プログラムに従って、スケジュールデータ記憶部２４に記憶されているスケジュールデータを全て読み出す。そして、読み出したスケジュールデータを、シンクロデータとして、前記端末用Ｉ／Ｆ部２３を介してプリンタ１２に送信する。
【００３４】
一方、プリンタ１２は、取得手段及びデータ印刷手段としてのプリンタ用ＣＰＵ３１、ＲＯＭ３２、ＲＡＭ３３、印刷制御部３４、受信手段としてのプリンタ用Ｉ／Ｆ部３５を備える。また、プリンタ１２は、計時手段としてのタイマ３７、操作手段としてのスケジュールスイッチ３８，記憶手段としてのシンクロデータ記憶部３９、プリンタ用プログラム記憶部４１も備える。そして、これらは互いにバス４２を介して接続されている。
【００３５】
プリンタ用ＣＰＵ３１は、印刷制御部３４を介して紙送りモータ４３、キャリッジモータ４４、記録ヘッド４５と接続されている。そして、プリンタ用ＣＰＵ３１は、これら紙送りモータ４３、キャリッジモータ４４、記録ヘッド４５を駆動制御するための駆動制御信号を出力する。なお、紙送りモータ４３は、プリンタ１２において記録媒体１５を搬送するためのものである。また、キャリッジモータ４４は、図示しないキャリッジを、記録媒体１５の搬送される方向と直交する方向（主走査方向）に往復移動させるためのものである。さらに、記録ヘッド４５は、前記キャリッジに搭載され、図示しないノズルからインク滴を吐出するためのものである。従って、プリンタ用ＣＰＵ３１から駆動制御信号の出力があると、記録媒体１５は紙送りモータ４３によって搬送される。また、同時に、キャリッジが、主走査方向に往復移動し、キャリッジ上の記録ヘッド４５から、インク滴が吐出される。これにより、記録媒体１５上に印刷が行われる。
【００３６】
また、プリンタ用ＣＰＵ３１は、プリンタ用Ｉ／Ｆ部３５を介してユーザー端末１１と接続され、ユーザー端末１１から前記シンクロデータ等を受信する。さらに、プリンタ用ＣＰＵ３１は、タイマ３７と接続されており、タイマ３７において計時された時間情報を入力する。なお、タイマ３７は、リアルタイムクロック（ＲＴＣ）を利用して、現在日時を計時するものである。
【００３７】
また、プリンタ用ＣＰＵ３１は、スケジュールスイッチ３８と接続されており、スケジュールスイッチ３８からの操作信号を入力する。なお、スケジュールスイッチ３８は、図１に示すように、プリンタ１２のケース１２ａ上に設けられている。
【００３８】
さらに、図２に示すように、プリンタ用ＣＰＵ３１は、シンクロデータ記憶部３９に接続されており、このシンクロデータ記憶部３９には、プリンタ用ＣＰＵ３１が、プリンタ用Ｉ／Ｆ部３５を介してユーザー端末１１から受信したシンクロデータが記憶されている。
【００３９】
また、プリンタ用ＣＰＵ３１は、プリンタ用プログラム記憶部４１と接続され、このプリンタ用プログラム記憶部４１の各種プログラムに従って動作し、その演算処理結果を一時ＲＡＭ３３に記憶するようになっている。詳述すると、プリンタ用プログラム記憶部４１には、シンクロデータ更新プログラム、予定表印刷プログラム及びその他各種のプログラムが備えられている。
【００４０】
シンクロデータ更新プログラムは、プリンタ用ＣＰＵ３１が、前記プリンタ用Ｉ／Ｆ部３５を介してシンクロデータを受信すると、受信したシンクロデータを、前記シンクロデータ記憶部３９に記憶するためのプログラムである。
【００４１】
すなわち、プリンタ用ＣＰＵ３１は、プリンタ用Ｉ／Ｆ部３５を介してシンクロデータを受信すると、シンクロデータ更新プログラムに従って、シンクロデータ記憶部３９に記憶されているシンクロデータを、受信したシンクロデータに更新する。
【００４２】
また、予定表印刷プログラムは、前記スケジュールスイッチ３８からの操作信号の入力があった場合に、前記タイマ３７から現在の日付を入力時間情報としての日付情報として取得するためのプログラムである。さらに、予定表印刷プログラムは、取得した日付情報に基づいて、シンクロデータ記憶部３９に記憶されているシンクロデータから、日付情報の日付に含まれる開始日時や終了日時を有するスケジュールデータを抽出するためのプログラムでもある。さらに又、予定表印刷プログラムは、シンクロデータから抽出したスケジュールデータに基づいて、現在の日付における１日分の第２のデータとしての予定表印刷データを作成し、作成した予定表印刷データに基づいて、印刷を行うためのプログラムでもある。
【００４３】
すなわち、プリンタ用ＣＰＵ３１は、スケジュールスイッチ３８からの操作信号の入力があると、予定表印刷プログラムに従って、タイマ３７から現在の日付を取得し、シンクロデータ記憶部３９のシンクロデータから、取得した日付に含まれる開始日時や終了日時を有するスケジュールデータを抽出する。また、プリンタ用ＣＰＵ３１は、スケジュールデータを抽出すると、予定表印刷プログラムに従って、抽出したスケジュールデータに基づいて、現在の日付における１日分の予定表印刷データを作成し、作成した予定表印刷データに基づいて、印刷を行う。
【００４４】
次に、本実施形態のスケジュール印刷システムの作用について、図３〜図５に従って説明する。
まず、ユーザーがユーザー端末１１のマウス２７及びキーボード２８を介して、ユーザー端末１１の電源を切る旨の入力した場合について説明する。
【００４５】
図３に示すように、ユーザーがユーザー端末１１の電源を切る旨の入力を行うと（ステップＳ１１）、ユーザー端末１１の端末用ＣＰＵ２０は、端末用プログラム記憶部２５の前記シンクロデータ送信プログラムに従って、スケジュールデータ記憶部２４に記憶されているスケジュールデータを全て読み出す。そして、端末用ＣＰＵ２０は、読み出したスケジュールデータを、シンクロデータとして端末用Ｉ／Ｆ部２３を介してプリンタ１２に送信し（ステップＳ１２）、処理を終了する。そして、端末用ＣＰＵ２０は、シンクロデータ送信プログラムの処理を終了すると、ユーザー端末１１の電源を切る処理を行う（ステップＳ１３）。
【００４６】
一方、ユーザー端末１１から送信されたシンクロデータは、プリンタ１２のプリンタ用Ｉ／Ｆ部３５を介してプリンタ用ＣＰＵ３１によって受信される（ステップＳ１４）。すると、プリンタ１２のプリンタ用ＣＰＵ３１は、プリンタ用プログラム記憶部４１のシンクロデータ更新プログラムに従って、シンクロデータ記憶部３９に記憶されているシンクロデータを、受信した新たなシンクロデータに更新する（ステップＳ１５）。そして、プリンタ用ＣＰＵ３１は、シンクロデータの更新後、処理を終了する。
【００４７】
従って、ユーザーが、ユーザー端末１１の電源を切る旨の操作を行うと、ユーザー端末１１のスケジュールデータ記憶部２４に記憶されている全てのスケジュールデータが、プリンタ１２のシンクロデータ記憶部３９にシンクロデータとして更新記憶されるようになる。その結果、プリンタ１２のシンクロデータ記憶部３９には、ユーザー端末１１の電源が切られる直前までのスケジュールデータと同じ内容のデータが常に記憶された状態となる。
【００４８】
次に、ユーザーが、プリンタ１２のスケジュールスイッチ３８を操作した場合について説明する。
図４に示すように、ユーザーが、プリンタ１２のスケジュールスイッチ３８を操作し、プリンタ１２のプリンタ用ＣＰＵ３１に操作信号が入力されると（ステップＳ２１）、プリンタ用ＣＰＵ３１は、前記予定表印刷プログラムに従って、タイマ３７から現在の日付を日付情報として取得する（ステップＳ２２）。
【００４９】
そして、プリンタ用ＣＰＵ３１は、シンクロデータ記憶部３９に記憶されているシンクロデータから、取得した日付情報の日付内に含まれる開始日時や終了日時を有するスケジュールデータを抽出する（ステップＳ２３）。例えば、タイマ３７から取得した日付が、「１０月２１日」であった場合には、シンクロデータから、「１０月２１日、１０：００〜１１：３０、定例会議、場所：第三会議室」といったスケジュールデータを抽出する。
【００５０】
そして、プリンタ用ＣＰＵ３１は、タイマ３７から取得した日付内に含まれるスケジュールデータを全て抽出すると、抽出したスケジュールデータを時系列順に整理して、１日分の予定表印刷データを作成する（ステップＳ２４）。また、プリンタ用ＣＰＵ３１は、作成した予定表印刷データに基づいて、印刷制御部３４を介して記録ヘッド４５等を駆動制御する。すると、図５に示すような画像５１が記録媒体１５上に印刷される（ステップＳ２５）。
【００５１】
すなわち、ユーザーが、スケジュールスイッチ３８を操作すると、シンクロデータ記憶部３９に記憶されているシンクロデータから、当日分のスケジュールデータが抽出される。そして、抽出されたスケジュールデータに基づいて、予定表印刷データが作成され、図５に示すような画像５１が印刷された記録媒体１５がユーザーに提供される。そして、この画像５１には、スケジュールスイッチ３８を操作した当日における１日分のユーザーのスケジュールが時系列順に整理されて表示されており、ユーザーは、スケジュールスイッチ３８を操作するのみで、容易に当日のスケジュールを把握することが可能となる。
【００５２】
上記実施形態によれば、以下のような効果を得ることができる。
（１）上記実施形態では、ユーザー端末１１からプリンタ１２にシンクロデータを送信し、プリンタ１２のシンクロデータ記憶部３９のシンクロデータを更新させるようにした。従って、ユーザー端末１１に記憶されているスケジュールデータと同じデータが、プリンタ１２のシンクロデータ記憶部３９にシンクロデータとして記憶されるようになる。その結果、プリンタ１２のみで、シンクロデータを使用して予定表印刷データを作成して印刷することができる。従って、例えば、ユーザー端末１１の電源が入っていない状態であっても、プリンタ１２のスケジュールスイッチ３８を操作することで、簡単に予定表印刷データを作成して印刷することができる。
【００５３】
（２）上記実施形態では、プリンタ１２はタイマ３７を備え、スケジュールスイッチ３８からの操作信号を入力した日付を、タイマ３７から日付情報として取得することができるようにした。そして、この取得した日付情報と、シンクロデータ記憶部３９のシンクロデータとに基づいて、操作信号を入力した日における１日の予定表印刷データを抽出し、記録媒体１５に印刷するようにした。
【００５４】
従って、ユーザーが、当日の予定表印刷データを所望した場合には、その所望した時に、ユーザーにスケジュールスイッチ３８を操作させることで、操作した当日における予定表印刷データを提供することができる。従って、ユーザーは、スケジュールスイッチ３８の操作のみで、その日のスケジュールを簡単かつ的確に把握することができる。
【００５５】
（３）上記実施形態では、ユーザー端末１１のマウス２７やキーボード２８を介して、ユーザー端末１１の電源を切る旨の入力があると、ユーザー端末１１のスケジュールデータ記憶部２４のスケジュールデータが、シンクロデータとして、プリンタ１２に送信されるようにした。
【００５６】
従って、プリンタ１２のシンクロデータ記憶部３９には、ユーザー端末１１の電源が切れる直前におけるスケジュールデータがシンクロデータとして記憶されるようになる。そして、ユーザー端末１１の電源が切れている状態においては、ユーザー端末１１において、スケジュールデータが更新されることがないため、プリンタ１２のシンクロデータ記憶部３９には、最新の状態のスケジュールデータに基づくシンクロデータが記憶されるようになる。その結果、ユーザー端末１１の電源が切れているときに、プリンタ１２のスケジュールスイッチ３８を操作すると、最新の状態のスケジュールデータに基づいて予定表印刷データが印刷されるので、ユーザーに対して最新の予定表印刷データを提供することができる。
【００５７】
なお、上記実施形態は以下のように変更してもよい。
・上記実施形態においては、第１のデータとして、スケジュールデータに具体化して説明したが、時間と関連付けられているデータであれば、その他のデータに具体化してもよい。なお、その他のデータとしては、例えば、誕生日等の記念日に関するデータに具体化するようにしてもよい。このようにすれば、ユーザーがプリンタ１２を操作した日が、誕生日等の記念日に該当する場合に、「今日は誕生日です。おめでとうございます。」といった文字等が印刷された記録媒体１５を、誕生日の当日にプリンタ１２から自動的に印刷させるようにすることができる。
【００５８】
・上記実施形態においては、ユーザー端末１１のスケジュールデータ記憶部２４のスケジュールデータは、ユーザー端末１１の電源が切られる直前にプリンタ１２に送信されるようにした。これを、その他のタイミングでスケジュールデータがプリンタ１２に送信されるようにしてもよい。例えば、ユーザー端末１１の電源が入れられている状態で、１時間毎など、一定時間毎にスケジュールデータがプリンタ１２に送信されるようにしてもよい。
【００５９】
・上記実施形態においては、プリンタ１２のシンクロデータ記憶部３９に記憶されているシンクロデータは、ユーザー端末１１からシンクロデータが送信されることにより更新されるようにした。これを、プリンタ１２にキースイッチ等の編集手段を設け、この編集手段を介して入力が行われることにより、シンクロデータを編集したり更新したりできるようにしてもよい。
【００６０】
・上記実施形態においては、プリンタ１２から印刷される予定表印刷データは、スケジュールスイッチ３８が操作された日付における一日分のスケジュールデータを整理したデータであるようにした。これを、スケジュールスイッチ３８が操作された時間に基づくデータであれば、その他の予定表印刷データであってもよい。例えば、スケジュールスイッチ３８が操作された直後から２４時間以内に含まれるスケジュールデータを整理して予定表印刷データとして印刷するようにしてもよい。
【図面の簡単な説明】
【図１】本実施形態におけるスケジュール印刷システムの概略構成図。
【図２】同じく、スケジュール印刷システムの電気的構成図。
【図３】同じく、スケジュール印刷システムの作用のフローチャート図。
【図４】同じく、スケジュール印刷システムの作用のフローチャート図。
【図５】同じく、記録媒体上に印刷された画像の説明図。
【符号の説明】
１１…コンピュータとしてのユーザー端末、１２…印刷装置としてのプリンタ、２３…送信手段としての端末用Ｉ／Ｆ部、２７…入力手段としてのマウス、２８…入力手段としてのキーボード、３１…取得手段及びデータ印刷手段としてのプリンタ用ＣＰＵ、３５…受信手段としてのプリンタ用Ｉ／Ｆ部、３７…計時手段としてのタイマ、３８…操作手段としてのスケジュールスイッチ、３９…記憶手段としてのシンクロデータ記憶部。
【図１】
2004240670.tif 000003
【図２】
2004240670.tif 000004
【図３】
2004240670.tif 000005
【図４】
2004240670.tif 000006
【図５】
2004240670.tif 000007